(57)【要約】      （修正有）【課題】かごの横梁を加工することなく制御ケーブルを布設することができ、部品を統一化してコストを低減させたエレベータの制御ケーブル布設具を提供する。【解決手段】かご１の側部に布設されて立ち上がる制御ケーブル１２を、側部に横設された横梁９の外側面に固定する制御ケーブル布設具であって、湾曲した凹部で横梁９を抱持し、開放端を制御ケーブル１２の左右の各側部に、それぞれ横梁９の上側及び下側から突出させた取付金具２１と、この取付金具２１の開放端が突出する部位が欠切され、この欠切部２２ａに上記開放端を挿通させて制御ケーブル１２に当接して横梁９の外側面に押し付ける押え金具２２と、この押え金具２２の欠切部を貫通した取付金具２１の開放端を介して押え金具２２を取付金具２１に係止させて制御ケーブル１２を固定する係止具２３とを備えたものである。【選択図】図３
2006199412.tif 000002
【特許請求の範囲】
【請求項１】
かごの側部に布設されて立ち上がる制御ケーブルを、上記側部に横設された横梁の外側面に固定するエレベータの制御ケーブル布設具において、Ｕ字状又はコ字状に形成され、凹部で上記横梁を抱持し、開放端を、上記制御ケーブルの左右の各側部に、それぞれ上記横梁の上側及び下側から突出させた取付金具と、この取付金具の上記開放端が突出する部位が欠切され、この欠切部に上記開放端を貫通させて上記制御ケーブルに当接して上記横梁に押し付ける押え金具と、この押え金具の上記欠切部を貫通した上記取付金具の開放端に係合して上記押え金具を上記取付金具に係止させる係止具とを備えたエレベータの制御ケーブル布設具。
【請求項２】
取付金具を、コ字状に屈曲されて両開放端にねじが螺刻された一対の鋼棒とし、押え金具を、上記鋼棒の上記開放端が突出する部位に、それぞれ穿孔が形成された平板とし、係止具を、上記鋼棒の上記開放端に螺合して上記平板を上記鋼棒に係止させて上記制御ケーブルを上記横梁に押圧するナットとした請求項１に記載のエレベータの制御ケーブル布設具。
【請求項３】
取付金具を、コ字状に屈曲されて一方の開放端にはねじが螺刻され、他方の開放端には外側へＬ字状に屈曲された係止部が形成された一対の鋼棒とし、押え金具を、上記鋼棒の上記一方の開放端が突出する部位には穿孔が形成され、上記他方の開放端が突出する部位には側部から中央部へ向けて水平に欠切部が形成された平板とし、係止具を、上記鋼棒の上記一方の開放端に螺合するナットと、上記平板の上記欠切部に係合する上記鋼棒の上記他方の開放端に形成された上記係止部とした請求項１に記載のエレベータの制御ケーブル布設具。
【請求項４】
取付金具を、コ字状に屈曲されて開口へ向けて拡幅し、両開放端がそれぞれ外側へＬ字状に屈曲されて係止部が形成された一対の鋼棒とし、押え金具を、制御ケーブルから張り出す両側縁が横梁側へ向けて下り勾配となるように傾斜し、この傾斜部の上記鋼棒の上記開放端が突出する部位に両側部から中央部へ向けて上下４箇所に水平に欠切され、更に上下に離反する方向へ向けて欠切されてＬ字状の欠切部が形成された平板とし、係止具を、上記平板の上記欠切部の上下方向に形成された部分に係合して上記平板を係止する上記鋼棒の上記開放端に形成された上記係止部とした請求項１に記載のエレベータの制御ケーブル布設具。
【請求項５】
取付金具を、コ字状に屈曲されて一方の開放端が外側へＬ字状に屈曲され、他方の開放端も上記一方の開放端と同方向へＬ字状に屈曲されて係止部が形成された一対の鋼棒とし、押え金具を、上記鋼棒の上記開放端が突出する部位に両側部から中央部へ向けてそれぞれ上下４箇所に水平に欠切され、更にいずれも上方向へ向けて欠切されてＬ字状の欠切部が形成された平板とし、係止具を、上記平板の上記両側部から上記欠切部に挿入され、更に上方向へ向けて形成された部分に係合して上記平板を係止する上記鋼棒の上記開放端に形成された上記係止部とした請求項１に記載のエレベータの制御ケーブル布設具。
【請求項６】
取付金具を、コ字状に屈曲されて開口へ向けて拡幅し、凹部で抱持した横梁の上側及び下側から突出する上下のフランジ部の中央部分をそれぞれ切り欠いて双腕構造にし、間に制御ケーブルを介挿させて左右両側から突出する上記腕の開放端をそれぞれ上記開口の外側へ反転屈曲させて係止部が形成されたコ字状板とし、押え金具を、上記コ字状板の上記開放端が突出する部位に、それぞれ穿孔が形成された平板とし、係止具を、上記平板の上記穿孔に挿入貫通して上記平板を上記コ字状板に係止する上記腕の上記開放端に形成された上記係止部とした請求項１に記載のエレベータの制御ケーブル布設具。
【請求項７】
平板を、制御ケーブル側へ向けて突出した当接部が形成され、この当接部を制御ケーブルに当接して押圧する屈曲平板とした請求項２から請求項６に記載のエレベータの制御ケーブル布設具。
【請求項８】
取付金具であるコ字状板を、底部がフランジ部に対して傾斜した変形コ字状に屈曲されて開口へ向けて拡幅し、凹部で抱持した山形鋼で構成された横梁の上側及び下側から突出する上下の上記フランジ部の中央部分をそれぞれ切り欠いて双腕構造にし、間に制御ケーブルを介挿させて左右両側から突出する上記腕の開放端をそれぞれ上記開口の外側へ反転屈曲させて係止部が形成されたコ字状板とした請求項６に記載のエレベータの制御ケーブル布設具。
【請求項９】
取付金具を、底部がＵ字状に湾曲して開口へ向けて拡幅し、凹部で抱持した鋼管で構成された横梁の上側及び下側から突出する上下のフランジ部の中央部分をそれぞれ切り欠いて双腕構造にし、間に制御ケーブルを介挿させて左右両側から突出する上記腕の開放端をそれぞれ上記開口の外側へ反転屈曲させて係止部が形成されたＵ字状板とし、押え金具を、中央部に上記鋼管と同心円状に湾曲して制御ケーブルに当接する当接部が形成され、かつ、上記腕の上記開放端が突出する部位にそれぞれ穿孔が形成された湾曲平板とし、係止具を、上記湾曲平板の上記穿孔に挿入貫通して上記湾曲平板を上記Ｕ字状板に係止する上記腕の上記開放端に形成された上記係止部とした請求項１に記載のエレベータの制御ケーブル布設具。
【請求項１０】
かごの側部に布設されて立ち上がる制御ケーブルを、上記側部に横設された横梁の外側面に固定するエレベータの制御ケーブル布設具において、平板をコ字状に屈曲して上下のフランジ部の中央部分をそれぞれ切り欠いて双腕構造にし、コ字状の底部内側を上記制御ケーブルに当接させ、上記腕の間に上記制御ケーブルを介挿させて左右両側面からかご側に向けて上記腕を突出させ、この腕の開放端を内側へ屈曲させた係止部を上記横梁に係止させて上記制御ケーブルを上記横梁の外側面に固定するエレベータの制御ケーブル布設具。
【請求項１１】
コ字状の底部中央部を、開口側へ向けて突出した当接部が形成され、この当接部を制御ケーブルに当接させる屈曲面とした請求項１０に記載のエレベータの制御ケーブル布設具。
【発明の詳細な説明】
【技術分野】
【０００１】
この発明は、エレベータの制御盤とかごとの間で信号の授受をする制御ケーブルを、かごに布設するための器具に係るものである。
【背景技術】
【０００２】
図２３から図２７は、例えば、特許文献１に記載されたものと同様の従来のエレベータの制御ケーブル布設具を示す。
図２３において、エレベータのかご１には、例えば、戸を開閉する戸閉装置１０やかご操作盤（図示しない。）が設けられている。これら装置と制御盤との間で信号及び電力の授受を行うため、制御ケーブルが布設される。
ここで、かご床２は、防振ゴム４を介して、かご床支持枠３によって支えられており、かご床支持枠３は、角材からなり、かご１下に横設されている下枠５に取り付けられている。下枠５の両端には、縦枠６が取り付けられていて、かご１の両側に立設されている。縦枠６の上端は、かご１上に横設された上梁７に取り付けられている。
縦枠６がかご１上から上部へ突出する部分には、戸閉桁取付腕９がかご１の前側へ突設されていて、戸閉桁８が取り付けられている。戸閉桁８には戸閉装置１０が取り付けられている。
上記のとおり構成されたかご１に対して、制御盤からの信号及び電力を授受する制御ケーブル１１がかご１下から吊り下げられている。この制御ケーブル１１は、かご１下で別の制御ケーブル１２に結線される。制御ケーブル１２は、かご１の側部を立ち上がってかご１上のつなぎ箱１３まで布設される。途中、制御ケーブル布設具１４によって、かご床支持枠３と戸閉桁取付腕９に固定される。
【０００３】
図２４は、角材からなる戸閉桁取付腕９に固定された制御ケーブル１２の平面図、図２５は、同じく正面図である。図において、２重に重ねられた平形の制御ケーブル１２が立ち上がる部位の戸閉桁取付腕９には、ボルト１７を遊挿貫通させるための抜け穴９ａが穿設されている。更に、ねじ穴が螺刻された座金板１５が溶接されている。この座金板１５に制御ケーブル１２を当接させて立ち上げる。押え金具１６を制御ケーブル１２に当て、ボルト１７を座金板１５に螺合させて押え金具１６を緊締し、制御ケーブル１２を固定する。
【０００４】
図２６は、図２３のＸＸＶＩ−ＸＸＶＩ線断面を矢視した制御ケーブル１２を固定する部位のかご床支持枠３の断面図である。かご床支持枠３に制御ケーブル１２を固定する場合も同様に、ボルト１７を遊挿貫通させるための抜け穴３ａがかご床支持枠３に穿設される。更に、ねじ穴が螺刻されてかご床支持枠３に溶接された座金板１５に制御ケーブル１２を当接させて立ち上げる。押え金具１６を制御ケーブル１２に当ててボルト１７を座金板１５に螺合させて緊締し、制御ケーブル１２を固定する。
【０００５】
図２７は、山形鋼で構成されたかご床支持枠１８の断面図である。かご床支持枠１８に制御ケーブル１２を固定する場合も同様に、ボルト１７を遊挿貫通させるための抜け穴１８ａがかご床支持枠３に穿設される。更に、ねじ穴が螺刻されてかご床支持枠１８に溶接された座金板１５に制御ケーブル１２を当接させて立ち上げる。押え金具１６を制御ケーブル１２に当ててボルト１７を座金板１５に螺合させて緊締し、制御ケーブル１２を固定する。
【０００６】
【特許文献１】特開平４−３６１９６７号公報（段落番号１１、図１）
【発明の開示】
【発明が解決しようとする課題】
【０００７】
従来のエレベータの制御ケーブル布設具は、上記のとおり構成されており、制御ケーブル１２を取り付けるかご床支持枠３又は戸閉桁取付腕９には、座金板１５に螺号して突出するボルト１７との干渉を回避させるための抜け穴３ａ又は１８ａを穿設する必要がある。また、ねじ穴が螺刻された座金板１５をかご床支持枠３又は戸閉桁取付腕９に溶接する必要もあった。
このため、制御ケーブル布設具１４は、座金板１５の螺刻工程に加えて、ドリルによる抜け穴３ａ、９ａ、１８ａの加工工程、かご床支持枠３、１８及び戸閉桁取付腕９への座金板１５の溶接工程が必要であり、加工に時間を要する、という問題があった。
また、かご１の大きさが同じであっても、制御ケーブル１２の立上げ位置が異なると、その都度抜け穴３ａ、９ａ、１８ａを加工し、座金板１５を溶接する必要があった。
このため、事前に加工することができず、製品ごとの管理が必要となり、面倒でコストの低減が図れない、という問題もあった。
【０００８】
この発明は、上記問題点を解決するためになされたものであり、かごの横梁を加工することなく制御ケーブルを布設することができ、部品を統一化してコストを低減させたエレベータの制御ケーブル布設具を提供することを目的とする。
【課題を解決するための手段】
【０００９】
この発明に係るエレベータの制御ケーブル布設具は、かごの側部に布設されて立ち上がる制御ケーブルを、側部に横設された横梁の外側面に固定する制御ケーブル布設具であって、湾曲した凹部で横梁を抱持し、開放端を制御ケーブルの左右の各側部に、それぞれ横梁の上側及び下側から突出させた取付金具と、この取付金具の開放端が突出する部位が欠切され、この欠切部に上記開放端を挿通させて制御ケーブルに当接して横梁の外側面に押し付ける押え金具と、この押え金具の欠切部を貫通した取付金具の開放端を介して押え金具を取付金具に係止させて制御ケーブルを固定する係止具とを備えたものである。
【００１０】
この発明に係る他のエレベータの制御ケーブル布設具は、かごの側部に布設されて立ち上がる制御ケーブルを横梁に固定するエレベータの制御ケーブル布設具であって、平板をコ字状に屈曲して上下のフランジ部の中央部分をそれぞれ切り欠いて双腕構造にし、双腕の間に制御ケーブルを介挿させてコ字状の底部内側を上記制御ケーブルに当接させて左右両側面からかご側に向けて腕を突出させ、この腕の開放端を内側へ屈曲させた係止部で横梁を把持させて固定するようにしたものである。
【発明の効果】
【００１１】
この発明に係るエレベータの制御ケーブル布設具は、上記のとおり、湾曲した取付金具の凹部で横梁を抱持し、この取付金具の開放端を押え金具の欠切部に通して係止具に係合させて押え金具を制御ケーブルに押し付けて固定するようにしたので、制御ケーブルを固定するために横梁に新たな加工を施す必要はない。このため、制御ケーブルの布設位置の変動にも柔軟に対応することができる、という効果を奏する。また、かごに布設される制御ケーブルの本数は限られるので、制御ケーブルの布設具は定形化される。このため、量産化が可能となってコストの低減を図ることができる、という効果も奏する。
【００１２】
また、この発明に係る他のエレベータの制御ケーブル布設具は、双腕の間に制御ケーブルを介挿させてかごの外側から制御ケーブルを横梁に押し付け、腕の開放端で横梁を把持させて固定するようにしたので、この制御ケーブル布設具も同様に、横梁に新たな加工を施すことなく制御ケーブルを固定することができる。このため、制御ケーブルの布設位置の変動にも柔軟に対応することができる、という効果を奏する。特に、かごの外側から制御ケーブルを固定することができるので、横梁とかごとの隙間が狭い場合であっても、容易に制御ケーブルを固定することができる、という効果を奏する。
また、制御ケーブルの布設具は定形化されるので、量産化が可能となってコストの低減を図ることができる、という効果も奏する。
【発明を実施するための最良の形態】
【００１３】
以下、図面を参照して、この発明の実施の形態について説明する。なお、各図中、同一又は相当する部分には同一符号を付し、説明の重複を省いた。
実施の形態１．
図１から図３は、この発明の実施の形態１を示し、請求項２に対応する。なお、請求項１は、実施の形態１から８を包括する概念である。
縦枠６がかご１上から上部へ突出する部分には、図２３に示したとおり、横梁である戸閉桁取付腕９がかご１の前側へ向けて突設されており、この戸閉桁取付腕９に制御ケーブル１２を固定する布設具を示す。コ字状に屈曲されて両開放端にねじ２１ａが螺刻された一対の鋼棒からなる取付金具２１の開口をかご１の外側へ向け、凹部に戸閉桁取付腕９を遊挿させて抱持させる。開放端が制御ケーブル１２の左右に位置するように配置して、それぞれ戸閉桁取付腕９の上側及び下側から開放端を突出させる。取付金具２１の開放端が突出する部位に、それぞれ穿孔２２ａが形成された平板からなる押え金具２２を、上記穿孔２２ａに上記開放端を貫通させて、かご１の外側から制御ケーブル１２に当接させる。穿孔２２ａを貫通した開放端に螺刻されたねじ２１ａに、係止具であるナット２３及びロックナット２４を螺合させて押え金具２２を取付金具２１に係止して制御ケーブル１２を戸閉桁取付腕９の外側面に押圧し固定する。
横梁であるかご床支持枠３に制御ケーブル１２を固定する場合も同様である。
【００１４】
上記実施の形態１によれば、コ字状に屈曲された取付金具２１の凹部で戸閉桁取付腕９を抱持させるようにしたので、制御ケーブル１２を固定するために戸閉桁取付腕９に新たな加工を施す必要はない。このため、制御ケーブル１２の布設位置の変動にも柔軟に対応することができ、エレベータの据付現場の実情に合った対応をとることができる。
また、かご１に布設される制御ケーブル１２の本数は限られるので、取付金具２１及び押え金具２２の形状も定形化される。このため、量産化が可能となり、コストの低減を図ることができる。
【００１５】
実施の形態２．
図４及び図５は、この発明の実施の形態２を示し、請求項７に対応する。
この実施の形態２は、実施の形態１の平板で構成された押え金具２２に替えて、屈曲平板からなる押え金具２５にしたものである。
即ち、押え金具２５は、中央部に片側へ突出した当接部２５ｂが形成されて水平方向へ向けて延設されている。この当接部２５ｂをかご１側へ向けて取付金具２１に取り付けられる。このため、当接部２５ｂが制御ケーブル１２の正面に当接して固定する。
上記実施の形態２によれば、押え金具２５の中央部が制御ケーブル１２に当接するので、穿孔２５ａが穿設された端部は、制御ケーブル１２から浮いた状態になる。このため、ナット２３を取付金具２１に螺合させて締めると、押え金具２５は板ばねとして作用して制御ケーブル１２を押圧する。即ち、板ばね作用により押圧力を調節することができる。
【００１６】
実施の形態３．
図６及び図７は、この発明の実施の形態３を示し、請求項３に対応する。
この実施の形態３は、実施の形態１の取付金具２１に替えて、一方の開放端にはねじ２６ａが螺刻され、他方の開放端には外側へＬ字状に屈曲された係止部２６ｂが形成された取付金具２６とし、この取付金具２６に係合する押え金具２７によって制御ケーブル１２を固定するようにしたものである。
即ち、押え金具２７の縁部であって、ねじ２６ａが螺刻された一方の開放端が突出する部位には穿孔２７ａが穿設され、Ｌ字状に屈曲された開放端が突出する部位には、側部から中央部へ向けて水平に欠切された欠切部２７ｂが形成されている。
制御ケーブル１２を戸閉桁取付腕９に固定するには、まず、取付金具２６の開口をかご１の外側へ向け、戸閉桁取付腕９を抱持させる。図７に符号２７´で示したとおり、係止部２６ｂを欠切部２７ｂに係合させて、当接部２７ｃを制御ケーブル１２に当接する。ねじ２６ａが螺刻された開放端を穿孔２７ａに通してナット２３を螺合させ、当接部２７ｃを制御ケーブル１２に当接させて押圧した後、ロックナット２４で固定する。
上記実施の形態３によっても、上記各実施の形態と同様に機能すると共に、特に、取付金具２１の他方の開放端は、Ｌ字状に屈曲された係止部２６ｂを当接部２７ｃの欠切部２７ｂに挿入して係合させればよいので、ナット２３の螺合が２箇所に限られる。このため、制御ケーブル１２の布設が容易になる。
【００１７】
実施の形態４．
図８から図１０は、この発明の実施の形態４を示し、請求項４に対応する。
この実施の形態４における取付金具２８は、鋼棒をコ字状に屈曲されて開口側へ向けて拡幅し、両開放端がそれぞれ外側へＬ字状に屈曲されて係止部２８ａが形成された一対の鋼棒で構成されている。
押え金具２９は、中央部に片側へ突出した当接部２９ｂが形成され、水平方向へ向けて延設されている。制御ケーブル１２から張り出す両側縁が当接部２９ｂ側へ向けて下り勾配となるように傾斜部２９ｃが形成された屈曲平板である。取付金具２８の係止部２８ａが突出する上記傾斜部２９ｃの対応部位には、両側部から中央部へ向けて上下４箇所に水平に欠切され、更に上下に離反する方向へ向けて欠切されてＬ字状の欠切部２９ａが形成されている。
ここで、コ字状底部の内面から係止部２８ａのＬ字状突部の裏面までの距離Ｓは、制御ケーブル１２を固定するのに必要な押圧力を発生させる寸法に設定される。
【００１８】
制御ケーブル１２を戸閉桁取付腕９に固定するには、図１０に示したとおり、まず、左手３０ｈで押え金具２９を押えて、制御ケーブル１２を戸閉桁取付腕９の側面に押し付ける。この状態で、戸閉桁取付腕９の背面側から係止部２８ａをかご１の外側へ出して取付金具２８に戸閉桁取付腕９を抱持させる。左右いずれか一方の側の取付金具２８について、上下一方の係止部２８ａを押え金具２９の欠切部２９ａに挿入して係合させる。次に上下他方の係止部２８ａを押え金具２９の欠切部２９ａに挿入して係合させる。同様に、左右いずれか他方の側の取付金具２８についても同様にして係止部２８ａを押え金具２９の欠切部２９ａに挿入して係合させて、制御ケーブル１２を戸閉桁取付腕９に固定する。
【００１９】
上記実施の形態４によれば、押え金具２９の欠切部２９ａに係止部２８ａを挿入して係合させることによって制御ケーブル１２を戸閉桁取付腕９に固定することができるので、ナットの螺合作業を省くことができる。このため、制御ケーブル１２を容易に布設することができ、作業性が向上する。
特に、押え金具２９は、制御ケーブル１２から張り出す両側縁が戸閉桁取付腕９側へ向けて下り勾配となるように傾斜部２９ｃが形成されているので、欠切部２９ａに係止部２８ａを挿入して係合させる作業が容易になる。
更に、取付金具２８は、開口側へ向けて拡幅しているので、係止部２８ａは欠切部２９ａに強固に係合する。
【００２０】
実施の形態５．
図１１及び図１２は、この発明の実施の形態５を示し、請求項５に対応する。
この実施の形態５における取付金具３１は、コ字状に屈曲された一対の鋼棒からなり、各鋼棒共に、一方の開放端が外側へＬ字状に屈曲されて上側係止部３１ａを構成し、他方の開放端も上記一方の開放端と同方向へＬ字状に屈曲されて下側係止部３１ｂを構成する。以下、総称する場合は、係止部３１ａ、３１ｂとする。
押え金具３２は、中央部に当接部３２ｃが形成されて水平方向へ向けて延設されており、板ばねとして機能する。また、取付金具３１の開放端が突出する部位には、左右両側部から中央部へ向けてそれぞれ上下４箇所に水平に欠切され、更にいずれも上方向へ向けて欠切されてＬ字状の欠切部が形成されている。ここで、当接部３２ｃを境にして反当接部３２ｃ側へ欠切された欠切部を上側欠切部３２ａとし、他方の側の欠切部を下側欠切部３２ｂとする。以下、総称する場合は、欠切部３２ａ、３２ｂとする。
ここで、コ字状底部の内面から係止部３１ａ、３１ｂのＬ字状突部の裏面までの距離Ｓは、制御ケーブル１２を固定するのに必要な押圧力を発生させる寸法に設定される。
【００２１】
制御ケーブル１２を戸閉桁取付腕９に固定するには、図１０と同様の要領で、まず、押え金具３２を押えて、制御ケーブル１２を戸閉桁取付腕９の側面に押し付ける。この状態で、左右いずれか一方の側の取付金具３１について、戸閉桁取付腕９の背面側から開放端をかご１の外側へ出して上側係止部３１ａを上側欠切部３２ａに挿入する。次に、下側係止部３１ｂを下側欠切部３２ｂに挿入する。左右双方の取付金具３１の係止部３１ａ、３１ｂを、それぞれ欠切部３２ａ、３２ｂに挿入したならば、押え金具３２を下方へ摺動させて、係止部３１ａ、３１ｂを欠切部３２ａ、３２ｂの上方向へ向けて欠切された部分で係合させて、制御ケーブル１２を戸閉桁取付腕９に固定する。
【００２２】
上記実施の形態５によれば、押え金具３２の欠切部３２ａ、３２ｂに係止部３１ａ、３１ｂを挿入して係合させることによって制御ケーブル１２を戸閉桁取付腕９に固定することができるので、制御ケーブル１２を容易に布設することができる。
特に、押え金具３２のばね作用に加えて、押え金具３２を下方へ摺動させて押え金具３２と取付金具３１とを係合させるようにしたので、かご１の経年稼動に対しても押え金具３２が弛緩し、外れることはない。
また、保守点検作業で、誤って押え金具３２や制御ケーブル１２に横方向の力が作用したとしても、押え金具３２が外れることはない。
【００２３】
実施の形態６．
図１３から図１６は、この発明の実施の形態６を示し、請求項６に対応する。
この実施の形態６における取付金具３３は、コ字状に屈曲されて開口側へ向けて拡幅するコ字状板で構成されている。コ字状の底部３３ａの内面を戸閉桁取付腕９の側面に当接させて抱持させる。更に、コ字状に屈曲された両フランジ部３３ｂの中央部分がそれぞれ切り欠かれて双腕３３ｃ構造になり、各腕３３ｃの開放端をそれぞれ開口の外側へ反転屈曲させて係止部３３ｄが形成されている。各腕３３ｃは戸閉桁取付腕９の上下からかご１の外側へ向けて突出し、この突出によって左右の腕３３ｃの間に制御ケーブル１２が介挿される。
押え金具３４は、中央部に当接部３４ｂが形成され、水平方向へ向けて延設されている。押え金具３４は、この当接部３４ｂを制御ケーブル１２に当接させて板ばねとして機能する。また、腕３３ｃの開放端に形成された係止部３３ｄが突出する部位には穿孔３４ａが穿設されている。
ここで、図１６に示す、コ字状底部の内面から係止部３３ｄの反転部の先端までの距離Ｓは、制御ケーブル１２を固定するのに必要な押圧力を発生させる寸法に設定される。
【００２４】
制御ケーブル１２を戸閉桁取付腕９に固定するには、図１０と同様の要領で、まず、取付金具３３の底部内面を戸閉桁取付腕９の背面に当てて腕３３ｃの開放端に形成された係止部３３ｄをかご１の外側へ出す。上側の係止部３３ｄを押え金具３４の穿孔３４ａに挿入する。次に、上下の腕３３ｃの間隔を狭めて下側の係止部３３ｄを押え金具３４の穿孔３４ａに挿入する。このとき、板ばね機能を利用して押え金具３４の縁部を押して係止部３３ｄを穿孔３４ａに挿入する。上下の腕３３ｃの間隔は復元されて拡幅され、取付金具３３と押え金具３４が係止されて制御ケーブル１２が戸閉桁取付腕９に固定される。
【００２５】
上記実施の形態６によっても、上記各実施の形態と同様に機能すると共に、特に、取付金具３３を、コ字状に屈曲された一体のコ字状板にしたので、戸閉桁取付腕９を抱持させる作業が単純化される。更に、各腕３３ｃは取付金具３３が戸閉桁取付腕９を抱持することによって位置が決定されるので、押え金具３４を容易に係止させることができる。このため、制御ケーブル１２の布設作業が容易になり、作業性を向上させることができる。
【００２６】
実施の形態７．
図１７及び図１８は、この発明の実施の形態７を示し、請求項８に対応する。
この実施の形態７は、角形鋼管の戸閉桁取付腕９に替えて山形鋼の戸閉桁取付腕１９に制御ケーブル１２を固定する場合である。
戸閉桁取付腕１９は、山形鋼の一面をかご１の側面側に向け、他面を下側に向けて横設されている。
取付金具３５は、底部３５ａが上側フランジ部３５ｂｕ及び下側フランジ部３５ｂｄに対して傾斜した変形したコ字状板で構成されている。上側フランジ部３５ｂｕと下側フランジ部３５ｂｄの間隔は開口側へ向けて拡幅している。コ字状の凹部で戸閉桁取付腕１９を抱持している。更に、コ字状に屈曲された上側フランジ部３５ｂｕ及び下側フランジ部３５ｂｄの中央部分は、それぞれ切り欠かれて左右一対の上腕３５ｃｕ及び左右一対の下腕３５ｃｄからなる双腕構造になっている。総称する場合は、腕３５ｃとする。各腕３５ｃの開放端はそれぞれ開口の外側へ反転屈曲して係止部３５ｄとして機能する。各腕３５ｃは戸閉桁取付腕１９の上下からかご１の外側へ向けて突出し、この突出によって左右の腕３５ｃの間に制御ケーブル１２が介挿される。
押え金具３４は、実施の形態７における押え金具３４と同様であり、説明を省略する。
ここで、コ字状底部の内面から係止部３５ｄの反転部の先端までの距離Ｓは、制御ケーブル１２を固定するのに必要な押圧力を発生させる寸法に設定される。
【００２７】
制御ケーブル１２を戸閉桁取付腕１９に固定するには、まず、取付金具３５のコ字状凹部に戸閉桁取付腕１９を挿入して各腕３５ｃの開放端に形成された係止部３５ｄをかご１の外側へ出す。上側の係止部３５ｄを押え金具３４の穿孔３４ａに挿入する。次に、上下の腕３５ｃの間隔を狭めて下側の係止部３５ｄを押え金具３４の穿孔３４ａに挿入する。このとき、板ばね機能を利用して押え金具３４の縁部を押して係止部３５ｄを穿孔３４ａに挿入する。上腕３５ｃｕと下腕３５ｃｄの間隔は復元されて拡幅され、取付金具３５と押え金具３４が係止されて制御ケーブル１２が戸閉桁取付腕１９に固定される。
【００２８】
上記実施の形態７によっても、上記各実施の形態と同様に機能すると共に、特に、取付金具３５を、底部３５ａが傾斜した変形コ字状板で構成したので、戸閉桁取付腕１９が山形鋼であっても、制御ケーブル１２を戸閉桁取付腕１９に固定することができ、かご１の経年稼動に対しても弛緩することはない。
【００２９】
実施の形態８．
図１９は、この発明の実施の形態８を示し、請求項９に対応する。
この実施の形態８は、角形鋼管の戸閉桁取付腕９に替えて円形鋼管の戸閉桁取付腕２０に制御ケーブル１２を固定する場合である。
取付金具３７は、Ｕ字状に湾曲してフランジ部３７ｂを開口側へ向けて拡幅させてＵ字状板で構成されている。フランジ部３７ｂの中央部分は、それぞれ切り欠かれて左右一対の双腕３７ｃ構造になっている。各腕３７ｃの開放端はそれぞれ開口の外側へ反転屈曲して係止部３７ｄが形成されている。取付金具３７は、Ｕ字状の底部３７ａを戸閉桁取付腕２０の外周面に当接させて抱持し、各腕３７ｃを戸閉桁取付腕２０の上下からかご１の外側へ向けて突出させる。制御ケーブル１２は左右の腕３５ｃの間に介挿される。
押え金具３６は、中央部に戸閉桁取付腕２０と同心円状に湾曲した当接部３６ｂが形成されており、この当接部３６ｂが水平方向へ向けて延設された湾曲平板で構成されている。また、腕３７ｃの係止部３７ｄが突出する部位には、それぞれ穿孔３６ａが穿設されている。
ここで、Ｕ字状底部３７ａの内面から係止部３５ｄの反転部の先端までの距離Ｓは、制御ケーブル１２を固定するのに必要な押圧力を発生させる寸法に設定される。
【００３０】
制御ケーブル１２を戸閉桁取付腕２０に固定するには、まず、取付金具３７のＵ字状凹部に戸閉桁取付腕２０を挿入して各腕３７ｃの開放端に形成された係止部３７ｄをかご１の外側へ出す。上側の係止部３７ｄを押え金具３６の穿孔３６ａに挿入する。次に、上下の腕３７ｃの間隔を狭めて下側の係止部３７ｄを押え金具３６の穿孔３６ａに挿入する。上下の腕３７ｃの間隔は復元されて拡幅され、取付金具３７と押え金具３６が係止されて制御ケーブル１２が戸閉桁取付腕２０に固定される。
【００３１】
上記実施の形態８によっても、上記各実施の形態と同様に機能すると共に、特に、取付金具３７を、Ｕ字状に湾曲したＵ字状板で構成したので、戸閉桁取付腕２０が円形鋼管であっても、制御ケーブル１２を戸閉桁取付腕２０に固定することができ、かご１の経年稼動に対しても弛緩することはない。
なお、上記実施の形態１から８は、戸閉桁取付腕９、１９、２０に制御ケーブル１２を固定する場合について述べたが、かご床支持枠３に取り付ける場合も同様である。
【００３２】
実施の形態９．
図２０から図２２は、この発明の実施の形態９を示し、請求項１０及び１１に対応する。
この実施の形態９は、山形鋼のかご床支持枠１８に制御ケーブル１２を固定する場合で、一体で形成された押え金具３８を制御ケーブル１２の布設具とするものである。また、かご床支持枠１８は、山形鋼の一辺１８ｕをかご１の側面側に縦立させて横設され、他辺１８ｄには防振ゴム４を介してかご床２が載置されている。また、かご床２はかご床支持枠１８の一辺１８ｕに近接し、両者の隙間δは狭いものとする。
上記かご床支持枠１８に制御ケーブル１２を固定する押え金具３８は、平板をコ字状に屈曲させ、凹所底部中央部分には開口側へ向けて突出する当接部３８ａが形成されている。また、上側フランジ部３８ｂｕは短く、下側フランジ部３８ｂｄは長く張り出している。上側フランジ部３８ｂｕと下側フランジ部３８ｂｄの中央部分は、それぞれ切り欠かれていて左右一対の上腕３８ｃｕ及び左右一対の下腕３８ｃｄからなる双腕構造になっている。総称する場合は、腕３８ｃとする。
【００３３】
上腕３８ｃｕの開放端は開口の内側へ屈曲されて上側係止部３８ｄｕが形成されている。また、下腕３８ｃｄの開放端は開口の内側へ屈曲され、更に反転屈曲されてクリップ形状の下側係止部３８ｄｄが形成されている。左右の各腕３８ｃの間には、制御ケーブル１２が介挿されていて、かご床支持枠１８の上からは上腕３８ｃｕが、また、かご床支持枠１８の下からは下腕３８ｃｄが、それぞれかご１側へ向けて突出している。上側係止部３８ｄｕは、かご床支持枠１８の上記一辺１８ｕの端部に係止され、下側係止部３８ｄｄは、上記他辺１８ｄの端部に係止されて、制御ケーブル１２をかご床支持枠１８に固定している。
【００３４】
押え金具３８で制御ケーブル１２をかご床支持枠１８に固定するには、図２１に示したとおり、まず、押え金具３８の左右の各腕３８ｃの間に制御ケーブル１２を介挿させる。次に、押え金具３８を下げて上側係止部３８ｄｕをかご床支持枠１８の一辺１８ｕの端部に係止させる。左手３０ｈで押え金具３８を制御ケーブル１２に押し付けた状態で、右手３０ｍで下側から下腕３８ｃｄを衝打して下側係止部３８ｄｄをかご床支持枠１８の他辺１８ｄの端部に係止させる。押え金具３８は、底部の当接部３８ａを制御ケーブル１２に当接させて板ばねとして作用して制御ケーブル１２を押圧して固定する。
【００３５】
上記実施の形態９によっても、上記各実施の形態と同様に機能すると共に、特に、かご１の外側から制御ケーブル１２を固定するようにしたので、横梁であるかご床支持枠１８とかご１との隙間δが狭い場合であっても、容易に制御ケーブル１２を固定することができる。
【図面の簡単な説明】
【００３６】
【図１】この発明の実施の形態１におけるエレベータの制御ケーブル布設具の平面図。
【図２】この発明の実施の形態１におけるエレベータの制御ケーブル布設具の正面図。
【図３】この発明の実施の形態１におけるエレベータの制御ケーブル布設具の斜視図。
【図４】この発明の実施の形態２におけるエレベータの制御ケーブル布設具の正面図。
【図５】この発明の実施の形態２におけるエレベータの制御ケーブル布設具の側面図。
【図６】この発明の実施の形態３におけるエレベータの制御ケーブル布設具の正面図。
【図７】この発明の実施の形態３におけるエレベータの制御ケーブル布設具の側面図。
【図８】この発明の実施の形態４におけるエレベータの制御ケーブル布設具の正面図。
【図９】この発明の実施の形態４におけるエレベータの制御ケーブル布設具の側面図。
【図１０】この発明の実施の形態４におけるエレベータの制御ケーブル布設具の斜視図。
【図１１】この発明の実施の形態５におけるエレベータの制御ケーブル布設具の正面図。
【図１２】この発明の実施の形態５におけるエレベータの制御ケーブル布設具の側面図。
【図１３】この発明の実施の形態６におけるエレベータの制御ケーブル布設具の斜視図。
【図１４】この発明の実施の形態６におけるエレベータの制御ケーブル布設具の平面図。
【図１５】この発明の実施の形態６におけるエレベータの制御ケーブル布設具の正面図。
【図１６】この発明の実施の形態６におけるエレベータの制御ケーブル布設具の側面図。
【図１７】この発明の実施の形態７におけるエレベータの制御ケーブル布設具の側面図。
【図１８】この発明の実施の形態７におけるエレベータの制御ケーブルの固定方法を示す側面図。
【図１９】この発明の実施の形態８におけるエレベータの制御ケーブル布設具の側面図。
【図２０】この発明の実施の形態９におけるエレベータの制御ケーブル布設具の斜視図。
【図２１】この発明の実施の形態９におけるエレベータの制御ケーブルの固定方法を示す側面図。
【図２２】この発明の実施の形態９におけるエレベータの制御ケーブル布設具の側面図。
【図２３】従来のエレベータの制御ケーブル布設具を示すかごの斜視図。
【図２４】従来のエレベータの制御ケーブル布設具の平面図。
【図２５】従来のエレベータの制御ケーブル布設具の正面図。
【図２６】従来のエレベータの制御ケーブル布設具の側面図。
【図２７】従来のエレベータの他の制御ケーブル布設具の側面図。
【符号の説明】
【００３７】
１  かご、  ２  かご床、  ３  かご床支持枠、  ３ａ  抜け穴  ４  防振ゴム、  ５  下枠、  ６  縦枠、  ７  上梁、  ８  戸閉桁、  ９  戸閉桁取付腕、  １０  戸閉装置、  １１  制御ケーブル、  １２  制御ケーブル、  １３  繋箱、  １４  制御ケーブル布設具、  １５  座金板、  １６  押え金具、  １７  ボルト、  １８  かご床支持枠、  １８ａ  抜け穴、  １８ｕ  一辺、  １８ｄ  他辺、  １９  戸閉桁取付腕、  ２０  戸閉桁取付腕、  ２１  取付金具、  ２１ａ  ねじ、  ２２  押え金具、  ２２ａ  穿孔、  ２３  ナット、  ２４  ロックナット、  ２５  押え金具、  ２５ａ  穿孔、  ２５ｂ  当接部、  ２６  取付金具、  ２６ａ  ねじ、  ２６ｂ  係止部、  ２７  押え金具、  ２７ｂ  欠切部、  ２７ｃ  当接部、  ２８  取付金具、  ２８ａ  係止部、  ２９  押え金具、  ２９ａ  欠切部、  ２９ｂ  当接部、  ２９ｃ  傾斜部、  ３０  手、  ３１  取付金具、  ３１ａ  上側係止部、  ３１ｂ  下側係止部、  ３２  押え金具、  ３２ａ  上側欠切部、  ３２ｂ  下側欠切部、  ３２ｃ  当接部、  ３３  取付金具、  ３３ａ  底部、  ３３ｂ  フランジ部、  ３３ｃ  腕、  ３３ｄ  係止部、  ３４  押え金具、  ３４ａ  穿孔、  ３４ｂ  当接部、  ３５  取付金具、  ３５ａ  底部、  ３５ｂｕ  上側フランジ部、  ３５ｂｄ  下側フランジ部、  ３５ｃｕ  上腕、  ３５ｃｄ  下腕、  ３５ｄ  係止部、  ３６  押え金具、  ３６ａ  穿孔、  ３６ｂ  湾曲部、  ３７  取付金具、  ３７ａ  底部、  ３７ｂ  フランジ部、  ３７ｃ  腕、  ３７ｄ  係止部、  ３８  押え金具、  ３８ａ  当接部、  ３８ｂｕ  上側フランジ部、  ３８ｂｄ  下側フランジ部、  ３８ｃｕ  上腕、  ３８ｃｄ  下腕、  ３８ｄｕ  上側係止部、  ３８ｄｄ  下側係止部。
【図１】
2006199412.tif 000003
【図２】
2006199412.tif 000004
【図３】
2006199412.tif 000005
【図４】
2006199412.tif 000006
【図５】
2006199412.tif 000007
【図６】
2006199412.tif 000008
【図７】
2006199412.tif 000009
【図８】
2006199412.tif 000010
【図９】
2006199412.tif 000011
【図１０】
2006199412.tif 000012
【図１１】
2006199412.tif 000013
【図１２】
2006199412.tif 000014
【図１３】
2006199412.tif 000015
【図１４】
2006199412.tif 000016
【図１５】
2006199412.tif 000017
【図１６】
2006199412.tif 000018
【図１７】
2006199412.tif 000019
【図１８】
2006199412.tif 000020
【図１９】
2006199412.tif 000021
【図２０】
2006199412.tif 000022
【図２１】
2006199412.tif 000023
【図２２】
2006199412.tif 000024
【図２３】
2006199412.tif 000025
【図２４】
2006199412.tif 000026
【図２５】
2006199412.tif 000027
【図２６】
2006199412.tif 000028
【図２７】
2006199412.tif 000029